(57)【要約】【課題】使い勝手を向上できるようにする。【解決手段】複数の面を有する筺体の内部に、面に対して平行となる状態で、互いに独立に設けられた２以上のアンテナのうち、通信相手から放射される微弱電波が受信されるアンテナを検出し、２以上のアンテナに対応付けられた識別情報が記憶される記憶手段から、当該検出されたアンテナに対応付けられた識別情報を読み出し、該読み出した識別情報を、当該検出されたアンテナを介して通信相手との間で送受信するようにした。【選択図】図４
2007288341.tif 000002
【特許請求の範囲】
【請求項１】
複数の面を有する筺体の内部に、該面に対して平行となる状態で、互いに独立に設けられた２以上のアンテナと、
上記２以上のアンテナに対応付けられた識別情報が記憶される記憶手段と、
上記２以上のアンテナのうち、通信相手から放射される微弱電波が受信されるアンテナを検出する検出手段と、
上記検出手段に検出されたアンテナに対応付けられた識別情報を上記記憶手段から読み出し、該読み出した識別情報を、上記検出手段に検出されたアンテナを介して上記通信相手との間で送受信する通信手段と
を具えることを特徴とする通信装置。
【請求項２】
上記２以上のアンテナは、
矩形状の筺体の内部のうちその筐体の直交する面の裏面に、該面に対してそれぞれ平行となる状態で、互いに独立に設けられた
ことを特徴とする請求項１に記載の通信装置。
【請求項３】
上記検出手段は、上記通信相手に保持された面状アンテナと平行となることによりその面状アンテナから放射される微弱電波が受信されるアンテナを検出する
ことを特徴とする請求項１に記載の通信装置。
【請求項４】
複数の面を有する筺体の内部に、上記面に対して平行となる状態で、互いに独立に設けられた２以上のアンテナのうち、通信相手から放射される微弱電波が受信されるアンテナを検出する第１のステップと、
上記２以上のアンテナに対応付けられた識別情報が記憶される記憶手段から、上記第１のステップで検出されたアンテナに対応付けられた識別情報を読み出し、該読み出した識別情報を、上記第１のステップで検出されたアンテナを介して上記通信相手との間で送受信する第２のステップと
を具えることを特徴とする通信方法。
【発明の詳細な説明】
【技術分野】
【０００１】
本発明は通信装置及び通信方法に関し、例えばＮＦＣ(Near Field Communication)等のように、近距離の電子機器間で無線通信する場合に適用して好適なものである。
【背景技術】
【０００２】
従来、ＩＣ(Integrated Circuit)チップ及び複数の近距離無線用のアンテナを搭載した携帯電話機と、リーダライタとによって構成される通信システムが提案されている（例えば特許文献１）。
【０００３】
この通信システムでは、リーダライタに設けられた微弱電波の照射面に対して携帯電話機をかざすように配したとき、当該携帯電話機内のＩＣチップが近距離無線用のアンテナを介してリーダライタと通信する。この結果、携帯電話機内のＩＣチップに保持された識別情報がそのリーダライタに伝達される。
【０００４】
この際、リーダライタの照射面に対して携帯電話機のある特定の面以外の面がかざされた場合であっても、この通信システムは、複数の近距離無線用のアンテナをそれぞれ接続した状態で携帯電話機内に設けることで、通信エラーとなるといった事態を未然に防止するようになされている。
【０００５】
ここで、携帯電話機のＩＣチップに複数の識別情報を保持しておき、このＩＣチップが、異なる識別情報を読取対象とする複数のリーダライタのうち、携帯電話機の配されたリーダライタに対応する識別情報を伝達することができれば、ユーザにとっては利便である。
【特許文献１】特開２００５−１５９６０７公報
【発明の開示】
【発明が解決しようとする課題】
【０００６】
ところがかかる構成の通信システムでは、携帯電話機内のＩＣチップが、いずれの識別情報を読取対象とするリーダライタに携帯電話機が配されたのかを判断することが困難となるという問題があった。
【０００７】
本発明は以上の点を考慮してなされたもので、使い勝手を向上し得る通信装置及び通信方法を提案しようとするものである。
【課題を解決するための手段】
【０００８】
かかる課題を解決するため本発明は、通信装置であって、複数の面を有する筺体の内部に、面に対して平行となる状態で、互いに独立に設けられた２以上のアンテナと、２以上のアンテナに対応付けられた識別情報が記憶される記憶手段と、２以上のアンテナのうち、通信相手から放射される微弱電波が受信されるアンテナを検出する検出手段と、検出手段に検出されたアンテナに対応付けられた識別情報を記憶手段から読み出し、該読み出した識別情報を、検出手段に検出されたアンテナを介して通信相手との間で送受信する通信手段とを設けるようにした。
【０００９】
この通信装置では、筐体面に平行に配された複数のアンテナに識別情報が対応付けられているので、異なる識別情報を読取対象とする複数のリーダライタのうち、利用すべきリーダライタで読取対象となる識別情報の選択を、面という視覚的要素によって直感的に把握させることができる。また、この通信装置では、利用すべきリーダライタの読取対象となる識別情報が対応付けられたアンテナと平行となる筐体面をそのリーダライタから放射される微小電波内に配されれば、複数の識別情報のうち、そのリーダライタの読取対象となる識別情報を伝達することできる。かくして、この通信装置では、筐体面を介して、対応するリーダライタに、そのリーダライタの読取対象となる識別情報を伝達することができる。
【００１０】
また本発明は、通信方法であって、複数の面を有する筺体の内部に、面に対して平行となる状態で、互いに独立に設けられた２以上のアンテナのうち、通信相手から放射される微弱電波が受信されるアンテナを検出する第１のステップと、２以上のアンテナに対応付けられた識別情報が記憶される記憶手段から、第１のステップで検出されたアンテナに対応付けられた識別情報を読み出し、該読み出した識別情報を、第１のステップで検出されたアンテナを介して通信相手との間で送受信する第２のステップとを設けるようにした。
【００１１】
この通信方法では、筐体面に平行に配された複数のアンテナに識別情報が対応付けられているので、異なる識別情報を読取対象とする複数のリーダライタのうち、利用すべきリーダライタで読取対象となる識別情報の選択を、面という視覚的要素によって直感的に把握させることができる。また、この通信方法では、利用すべきリーダライタの読取対象となる識別情報が対応付けられたアンテナと平行となる筐体面をそのリーダライタから放射される微小電波内に配されれば、複数の識別情報のうち、そのリーダライタの読取対象となる識別情報を伝達することできる。かくして、この通信方法では、筐体面を介して、対応するリーダライタに、そのリーダライタの読取対象となる識別情報を伝達することができる。
【発明の効果】
【００１２】
本発明によれば、筐体面を介して、対応するリーダライタに、そのリーダライタの読取対象となる識別情報を伝達することができるようにしたことにより、使い勝手を向上し得る通信装置及び通信方法を実現することができる。
【発明を実施するための最良の形態】
【００１３】
以下図面について、本発明を適用した一実施の形態を詳述する。
【００１４】
（１）本実施の形態による通信システムの全体構成
図１において、本実施の形態による通信システム１の全体構成を示し、複数のリーダライタ１０ｊ（ｊ＝１、２、……、ｎ（ｎは整数））と、矩形状の携帯電話機２に搭載された近距離通信用の面状アンテナ（以下、これを近距離通信用アンテナと呼ぶ）ＡＮＴ１、ＡＮＴ２、ＡＮＴ３及びＩＣチップ２０とによって構成される。
【００１５】
このリーダライタ１０ｊは、例えば、電車等の乗物の搭乗口、会社や特別な部屋等の会員用空間への出入口、コンビニエンスストア等の商取引場のカウンターなど、所定の場所にそれぞれ設置される。
【００１６】
このリーダライタ１０ｊの筺体内には、電磁波などの微弱電波の照射対象とされる面（以下、これを照射面と呼ぶ）ＩＦの裏面に、その照射面ＩＦと平行な状態で面状のループアンテナＲＡが設けられている。
【００１７】
リーダライタ１０ｊは、このループアンテナＲＡから照射面ＩＦの上方へ数センチメートル程度隔てた位置まで、通信相手が受信可能なレベルの微弱電波を、該ループアンテナＲＡから照射するようになされている。
【００１８】
一方、近距離通信用アンテナＡＮＴ１、ＡＮＴ２、ＡＮＴ３は、携帯電話機２の筺体の内部において、互いに９０［°］直交し、かつ互いに独立した状態で内蔵されている。具体的に近距離通信用アンテナＡＮＴ１は、携帯電話機２の筺体の底面２Ａの近傍にその底面２Ａに対して平行となる状態で設けられ、近距離通信用アンテナＡＮＴ２及びＡＮＴ３は、該筺体の長辺方向の側面２Ｂ及び２Ｃの近傍にその側面２Ｂ及び２Ｃに対して平行となる状態で設けられている。
【００１９】
他方、ＩＣチップ２０は、リーダライタ１０ｊの照射面１０Ａから照射される微弱電波を、近距離通信用アンテナＡＮＴ１、ＡＮＴ２及びＡＮＴ３のいずれか一の近距離通信用アンテナを介して受信し、当該受信に応じて誘起される電圧を駆動電圧として起動する。
【００２０】
すなわち、この実施の形態では、図２（Ａ）に示すように、近距離通信用アンテナＡＮＴ１、ＡＮＴ２及びＡＮＴ３のいずれもが、リーダライタ１０ｊのループアンテナＲＡに対して平行とはならない状態で、照射面ＩＦ上に配された場合、これら近距離通信用アンテナＡＮＴ１、ＡＮＴ２及びＡＮＴ３のいずれもが、ループアンテナＲＡから照射面ＩＦの上方へ数センチメートル程度隔てた位置までの受信範囲内に存在しないため、ＩＣチップ２０は微弱電波を受信できず起動することはない。
【００２１】
これに対して、近距離通信用アンテナＡＮＴ１、ＡＮＴ２及びＡＮＴ３のうち、図２（Ｂ）に示すように、例えば近距離通信用アンテナＡＮＴ２が、リーダライタ１０ｊのループアンテナＲＡに対して平行な状態で、照射面ＩＦ上に配された場合、ＩＣチップ２０は、当該受信範囲内に存在する近距離通信用アンテナＡＮＴ２を介して微弱電波を受信し、その受信に応じて誘起される電圧を駆動電圧として起動することになる。
【００２２】
このようにＩＣチップ２０は、リーダライタ１０ｊのループアンテナＲＡに対して平行な状態で、近距離通信用アンテナＡＮＴ１、ＡＮＴ２及びＡＮＴ３のいずれかが配された場合に、その平行に配された近距離通信用アンテナＡＮＴ１、ＡＮＴ２又はＡＮＴ３を介して得られる電圧に基づいて起動するようになされている。
【００２３】
また、このＩＣチップ２０には、リーダライタ１０ｊの読取対象となる識別情報として、電車等の乗物に対する乗降手続に関するデータ（以下、これを定期券情報と呼ぶ）と、会社や特別な部屋等の会員用空間に対する入場手続に関するデータ（以下、これを会員証情報と呼ぶ）と、電子商取引に関するデータ（以下、これを電子マネー情報と呼ぶ）とが、近距離通信用アンテナＡＮＴ１、ＡＮＴ２、ＡＮＴ３に対応付けて保持される。
【００２４】
そしてＩＣチップ２０は、リーダライタ１０ｊのループアンテナＲＡから照射される微弱電波のキャリアを検出し、起動後に、該キャリアを受信した近距離通信用アンテナＡＮＴ１、ＡＮＴ２、ＡＮＴ３に対応する定期券情報、会員証情報又は電子マネー情報を適宜読み出し、これをリーダライタ１０ｊとの間で送受信するようになされている。
【００２５】
このようにしてこのＩＣチップ２０は、リーダライタ１０ｊの照射面（ループアンテナ）と平行に配置される携帯電話機２の面に応じて、定期券、会員証又は電子マネーとして機能するようになされている。
【００２６】
このようにこの通信システム１では、互いに異なる識別情報が携帯電話機２の対応する面に割り当てられているため、ユーザは、ＩＤチップ２０に保持された複数の識別情報のうち、利用対象のリーダライタ１０ｊに対応する識別情報の選択を、面という視覚的要素によって直感的に把握することができるとともに、当該面をそのリーダライタ１０ｊの照射面ＩＦに対して平行に配するという行為さえすれば、乗物の搭乗口に入出場し、会員用空間に入場し、又は商取引を行うことができる。
【００２７】
なおこの通信システム１における携帯電話機２では、基地局（図示せず）との間で通信するための遠距離通信用のアンテナ（通常のアンテナ）と、近距離通信用アンテナＡＮＴ１、ＡＮＴ２、ＡＮＴ３とを所定距離だけ離間する等の諸対策が講じられており、これにより近距離通信用アンテナＡＮＴ１、ＡＮＴ２、ＡＮＴ３に対する、遠距離通信用のアンテナ（通常のアンテナ）から発信される高周波電波の輻射を抑制し得るようになされている。
【００２８】
（２）ＩＣチップの構成
次に、ＩＣチップの構成について図３を用いて説明する。
【００２９】
この図３において、ＩＣチップ２０は、整流器２１、２２及び２３と、電圧安定化回路２４と、キャリア検出回路２５と、制御回路２６とによって構成される。
【００３０】
この整流器２１には、近距離通信用アンテナＡＮＴ１が結線されており、ループアンテナＲＡ（図１）から照射される微弱電波の信号（以下、これを電波信号と呼ぶ）が、該近距離通信用アンテナＡＮＴ１から受信結果として供給される。整流器２１は、この電波信号を整流し、当該整流信号から生成される電圧Ｖ１が所定の閾値以上である場合には、これを電圧安定化回路２４に出力する。
【００３１】
また整流器２２、２３は、整流器２１と同様に、対応する近距離通信用アンテナＡＮＴ２、ＡＮＴ３での受信結果として該近距離通信用アンテナＡＮＴ２、ＡＮＴ３から供給される電波信号を整流し、当該整流信号から生成される閾値以上の電圧Ｖ２、Ｖ３を電圧安定化回路２４に出力する。
【００３２】
電圧安定化回路２４は、整流器２１、２２又は２３から供給される電圧Ｖ１、Ｖ２又はＶ３を所定の電圧レベルとなるように調整し、当該調整された結果得られる電圧ＶＤＤを制御回路２６に出力する。
【００３３】
キャリア検出回路２５は、近距離通信用アンテナＡＮＴ１、ＡＮＴ２、ＡＮＴ３で受信される電波信号におけるキャリアを検出し、該検出結果を検出データとして制御回路２６に送出する。
【００３４】
制御回路２６は、ＣＰＵ(Central Processing Unit)、ＲＯＭ(Read Only Memory)、ＲＡＭ(Random Access Memory)、クロック発生器及びフラッシュメモリを含むコンピュータ構成となっており、このフラッシュメモリには、リーダライタ１０によって読み取られる読取情報として、定期券情報、会員証情報及び電子マネー情報が記憶される。
【００３５】
ここで、例えば携帯電話機２の側面２Ｂを、リーダライタ１０ｊのループアンテナＲＡに対して平行に配した場合（図２（Ｂ））、制御回路２６には、該側面２Ｂと平行に保持された近距離通信用アンテナＡＮＴ２で受信された電波信号が、整流器２２及び電圧安定化回路２４を順次介して電圧ＶＤＤとして供給され、該電波信号のキャリアが、キャリア検出回路２５を介して検出データとして供給される。
【００３６】
制御回路２６は、この電圧ＶＤＤを駆動電圧として起動すると、検出データによりキャリアが検出された近距離通信用アンテナＡＮＴ２を認識し、該近距離通信用アンテナＡＮＴ２に対応付けられた識別情報をフラッシュメモリから読み出す。
【００３７】
この状態において制御回路２６は、この識別情報に応じて、キャリアに対して所定の変調処理を施し、この結果得られる変調信号を対応する近距離通信用アンテナＡＮＴ２を介してリーダライタ１０ｊに送信するとともに、当該リーダライタ１０ｊから近距離通信用アンテナＡＮＴ２を介して受信した変調信号に対して復調処理を施し、この結果得られるデータを取得するようにして通信する。
【００３８】
このようにしてＩＣチップ２０は、リーダライタ１０ｊの照射面（ループアンテナ）と平行に配置される携帯電話機２の面に応じて、定期券、会員証又は電子マネーとして機能することができるようになされている。
【００３９】
（３）通信処理手順
次に、上述した制御回路２６の通信処理手順を、図４に示すフローチャートを用いて説明する。
【００４０】
制御回路２６は、起動すると、この通信処理手順をステップＳＰ０において開始し、続くステップＳＰ１において、キャリア検出回路２５（図３）での検出結果に基づいて、近距離通信用アンテナＡＮＴ１、ＡＮＴ２及びＡＮＴ３のうち、リーダライタ１０ｊからの微弱電波を受信している近距離通信用アンテナＡＮＴを検出する。
【００４１】
そして制御回路２６は、ステップＳＰ２に進んで、ステップＳＰ１で検出した近距離通信用アンテナＡＮＴに対応付けられた識別情報をフラッシュメモリから読み出し、続くステップＳＰ３において、当該近距離通信用アンテナＡＮＴを介してそのリーダライタ１０ｊと通信し、該リーダライタ１０ｊの読取対象となる識別情報を伝達した後、ステップＳＰ４に進んでこの通信処理手順を終了する。
【００４２】
このようにして制御回路２６は、携帯電話機２の所定面を配したリーダライタ１０ｊとの間で、その面と平行に配された近距離無線用アンテナＡＮＴを介して、その近距離無線用アンテナＡＮＴに対応する識別情報を伝達することができるようになされている。
【００４３】
（４）動作及び効果
以上の構成において、この通信システム１における携帯電話機２には、矩形状の筺体の内部に、該面に対して平行となる状態で、互いに独立に３つの近距離無線用アンテナＡＮＴ１、ＡＮＴ２及びＡＮＴ３が設けられる（図１）。
【００４４】
また、携帯電話機２には、これら近距離無線用アンテナＡＮＴ１、ＡＮＴ２及びＡＮＴ３（図１）に接続されたＩＣチップ２０が設けられ、このＩＣチップ２０の制御回路２６のメモリには、各近距離無線用アンテナＡＮＴ１、ＡＮＴ２、ＡＮＴ３に対応付けられた識別情報（定期券情報、会員証情報、電子マネー情報）が記憶される。
【００４５】
このＩＣチップ２０は、リーダライタ１０ｊから放射される微弱電波が受信される近距離無線用アンテナＡＮＴ１、ＡＮＴ２又はＡＮＴ３をキャリア検出回路２５（図３）を介して検出する。そしてＩＣチップ２０は、この検出した近距離無線用アンテナＡＮＴに対応付けられた識別情報をメモリから読み出し、該読み出した識別情報を、該検出した近距離無線用アンテナＡＮＴを介して、リーダライタ１０ｊとの間で送受信する。
【００４６】
したがって、この通信システム１では、筐体面２Ａ及び２Ｂ、２Ｃ及び２Ｄ、２Ｅ及び２Ｆに平行に配された近距離無線用アンテナＡＮＴ１、ＡＮＴ２、ＡＮＴ３にそれぞれ定期券情報、会員証情報、電子マネー情報が対応付けられているので、複数のリーダライタ１０ｊのうち、利用すべきリーダライタ１０１、１０２、……、又は１０ｎで読取対象となる識別情報の選択を、面という視覚的要素によって直感的に把握させることができる。
【００４７】
これに加えて、利用すべきリーダライタ１０１、１０２、……、又は１０ｎで読取対象となる識別情報が対応付けられている近距離無線用アンテナＡＮＴ１、ＡＮＴ２、ＡＮＴ３と平行となる筐体面２Ａ及び２Ｂ、２Ｃ及び２Ｄ、２Ｅ及び２Ｆを、そのリーダライタ１０１、１０２、……、又は１０ｎから放射される微小電波内に配しさえすれば、ＩＣチップ２０が、そのリーダライタ１０１、１０２、……、又は１０ｎと通信して、対応する識別情報を伝達することできる。
【００４８】
このようにしてこの通信システム１は、筐体面２Ａ及び２Ｂ、２Ｃ及び２Ｄ、２Ｅ及び２Ｆを識別情報の選択要素とするとともに、利用すべきリーダライタ１０ｊに配された筐体面２Ａ及び２Ｂ、２Ｃ及び２Ｄ、２Ｅ及び２Ｆを介してそのリーダライタ１０ｊの読取対象となる識別情報を伝達することができる。
【００４９】
また、この通信システム１では、近距離無線用アンテナＡＮＴ１、ＡＮＴ２及びＡＮＴ３の具体的な配置態様として、近距離通信用アンテナＡＮＴ１は、携帯電話機２の筺体の底面２Ａの近傍にその底面２Ａに対して平行となる状態で設けられ、近距離通信用アンテナＡＮＴ２及びＡＮＴ３は、該筺体の長辺方向の側面２Ｂ及び２Ｃの近傍にその側面２Ｂ及び２Ｃに対して平行となる状態で設けられている。
【００５０】
したがって、この通信システム１では、識別情報の選択を、単なる面だけではなく、該面の大きさの相違（狭い面と広い面）という視覚的要素によって直感的に把握させることができ、また携帯電話機２の筺体内に配される基板等の配置スペースを、上述の実施の形態の場合に比してより一段と大きく確保することができる。
【００５１】
さらに、この通信システム１では、ＩＣチップ２０は、リーダライタ１０ｊに保持された面状のループアンテナＲＡ（図１）と平行となることによりそのループアンテナＲＡから放射される微弱電波に基づいて起動し、その後に、該微弱電波が受信される近距離無線用アンテナＡＮＴ１、ＡＮＴ２、ＡＮＴ３を検出する。
【００５２】
したがって、この通信システム１では、近距離通信用アンテナＡＮＴ１、ＡＮＴ２及びＡＮＴ３のいずれもが、リーダライタ１０ｊのループアンテナＲＡに対して平行とはならない状態で、照射面ＩＦ上に配された場合（図２（Ａ））には起動しないため、識別情報の選択を、面という視覚的要素によって直感的に把握させるといったことを、より一段と強化することができる。
【００５３】
以上の構成によれば、筐体面２Ａ及び２Ｂ、２Ｃ及び２Ｄ、２Ｅ及び２Ｆを識別情報の選択要素とするとともに、利用すべきリーダライタ１０ｊに配された筐体面２Ａ及び２Ｂ、２Ｃ及び２Ｄ、２Ｅ及び２Ｆを介してそのリーダライタ１０ｊの読取対象となる識別情報を伝達することができるようにしたことにより、使い勝手を向上し得る通信システム１を実現できる。
【００５４】
（５）他の実施の形態
上述の実施の形態においては、近距離通信用アンテナＡＮＴ１、ＡＮＴ２、ＡＮＴ３及びＩＣチップ２０を、携帯電話機２に内蔵するようにした場合について述べたが、本発明はこれに限らず、例えばＰＤＡ(Personal Digital Assistants)、携帯型オーディオプレーヤ又は携帯型ゲーム機器等、この他種々の携帯型の電子機器に内蔵することができる。また、内蔵に代えて、近距離通信用アンテナＡＮＴ１、ＡＮＴ２、ＡＮＴ３及びＩＣチップ２０を有する専用の装置として用いるようにしても、上述の実施の形態の場合と同様の効果を得ることができる。
【００５５】
また上述の実施の形態においては、近距離通信用アンテナＡＮＴ１、ＡＮＴ２及びＡＮＴ３を互いに独立する状態、かつ、近距離通信用アンテナＡＮＴ１を、携帯電話機２の筺体の底面２Ａの近傍にその底面２Ａに対して平行となる状態、また近距離通信用アンテナＡＮＴ２及びＡＮＴ３を、該筺体の長辺方向の側面２Ｂ及び２Ｃの近傍にその側面２Ｂ及び２Ｃに対して平行となる状態となるように携帯電話機２に内蔵するようにした場合について述べたが、本発明はこれに限らず、筺体の面と平行となる状態で、互いに独立に設けるようにすれば、この他種々の位置に、２以上の近距離通信用アンテナを内蔵することができる。
【００５６】
例えば、図５に示すように、立方体の筺体３０におけるそれぞれの面の裏側内部に、該面と平行となる状態で、互いに独立に近距離通信用アンテナＡＮＴ１１〜ＡＮＴ１６を設けるようにしてもよく、あるいは、図６に示すように、六角柱の筺体４０におけるそれぞれの面の裏側内部に、該面と平行となる状態で、互いに独立に近距離通信用アンテナＡＮＴ１１〜ＡＮＴ１６設けるようにしてもよい。
【００５７】
さらに上述の実施の形態においては、２以上のアンテナに対応付けられた識別情報が記憶される記憶手段として、制御回路２６内のフラッシュメモリを適用するようにした場合について述べたが、本発明はこれに限らず、携帯電話機２のメモリと共用するようにしてもよい。要は、近距離通信用アンテナを内蔵する筺体の内部に設けられたメモリであればよい。
【００５８】
さらに上述の実施の形態においては、２以上のアンテナのうち、通信相手から放射される微弱電波が受信されるアンテナを検出する検出手段として、受信されるアンテナのキャリアを検出するようにした場合について述べたが、本発明はこれに限らず、整流器２１、２２又は２３（図３）を介して供給される電圧レベルを検出するようにしてもよい。
【００５９】
具体的には、例えば、整流器２１、２２又は２３（図３）を介して供給される電圧のうち、所定の閾値を越える場合に、通信相手から放射される微弱電波が受信されているとして、該閾値を越える電圧を電圧安定化回路２４を介して制御回路２６に供給し、制御回路２６は、この電圧が供給される入力端に応じて、通信相手から放射される微弱電波が受信されているアンテナがいずれのアンテナであるのかを認識するようにする。このようにしても上述の実施の形態の場合と同様の効果を得ることができる。
【００６０】
さらに上述の実施の形態においては、近距離通信用アンテナＡＮＴ１〜ＡＮＴ３について１つのＩＣチップを設けるようにした場合について述べたが、本発明はこれに限らず、例えば図７に示すように、１つの近距離通信用アンテナＡＮＴ１、ＡＮＴ２又はＡＮＴ３につき１つのＩＣチップ２０Ａ、２０Ｂ又は２０Ｃを設けるようにしてもよい。このＩＣチップ２０Ａ、２０Ｂ又は２０Ｃには、それぞれ、上述の整流器２１（２２又は２３）と、電圧安定化回路２４と、制御回路２６と同一構成のものを搭載させ、当該制御回路内のメモリには、その近距離通信用アンテナに対応する識別情報（定期券情報、会員証情報、電子マネー情報）を記憶させる。このようにすれば、上述の実施の形態の場合と同様の効果を得ることができる。
【産業上の利用可能性】
【００６１】
本発明は、近距離での無線通信分野に利用可能である。
【図面の簡単な説明】
【００６２】
【図１】本実施の形態による通信システムの全体構成を示す略線図である。
【図２】リーダライタに対する近距離通信用アンテナの配置の説明に供する略線図である。
【図３】ＩＣチップの構成を示すブロック図である。
【図４】通信処理手順を示すフローチャートである。
【図５】他の実施の形態による筺体とアンテナ（１）を示す略線図である。
【図６】他の実施の形態による筺体とアンテナ（２）を示す略線図である。
【図７】他の実施の形態によるＩＣチップを示す略線図である。
【符号の説明】
【００６３】
１……通信システム、２……携帯電話機、１０ｊ……リーダライタ、２０、２０Ａ、２０Ｂ、２０Ｃ……ＩＣチップ、２１、２２、２３……整流器、２４……電圧安定化回路、２５……キャリア検出回路、２６……制御回路。
【図１】
2007288341.tif 000003
【図２】
2007288341.tif 000004
【図３】
2007288341.tif 000005
【図４】
2007288341.tif 000006
【図５】
2007288341.tif 000007
【図６】
2007288341.tif 000008
【図７】
2007288341.tif 000009